(57)【要約】【課題】爪を長く伸ばした者がタイピングを行うに際して、適確な入力が可能となり、爪の割れを生じず、快適なタイピングを可能とするタイピング補助具を安価に提供する。【解決手段】可撓性を有する帯状の捲着部材（１）と、該捲着部材（１）の外面に固着され、且つキーボード（３）のキー（３０）に対する押圧手段となる緩衝部材（２）とからなる緩衝部材（２）とからなるタイピング補助具であって、前記捲着部材（１）は、指に対する捲着手段となる捲着部片（１６）（１６）を両端に形成するとともに、その一方の捲着部片（１６）における当該指と当接面となる内面にのみ接着層（１１）を設けたものとし、緩衝部材（２）は、該捲着部材の外面の指先端当接部分又は外面全体に設けたタイピング補助具を解決手段とする。【選択図】　　　　図５
2004030306.tif 000002
【特許請求の範囲】
【請求項１】
可撓性を有する帯状の捲着部材（１）と、該捲着部材（１）の外面に固着され、且つキーボード（３）のキー（３０）に対する押圧手段となる緩衝部材（２）とからなる緩衝部材（２）とからなるタイピング補助具であって、
前記捲着部材（１）は、指に対する捲着手段となる捲着部片（１６）（１６）を両端に形成するとともに、その一方の捲着部片（１６）における当該指と当接面となる内面にのみ、接着層（１１）を設けたものとし、
緩衝部材（２）は、該捲着部材の外面の指先端当接部分又は外面全体に設けたことを特徴とするタイピング補助具。
【請求項２】
可撓性材料から成る帯状の捲着部材（１）と、該捲着部材（１）の外面に固着され、且つキーボード（３）のキー（３０）に対する押圧手段となる緩衝部材（２）とからなる緩衝部材（２）とからなるタイピング補助具であって、
前記捲着部材（１）における指との当接面となる内面全体に、接着層（１１）を設けたものとし、緩衝部材（２）は、前記捲着部材の外面の指先端当接部分又は外面全体に設けたことを特徴とするタイピング補助具。
【請求項３】
接着層（１１）を除く内面に抗菌材を含有する層（１９）を、設けたことを特徴とする請求項１記載のタイピング補助具。
【請求項４】
捲着部材（１）は、不織布（１０）の外面に可撓性樹脂層（１８）を設けるとともに、前記不織布（１０）の内面には、抗菌材を含有する抗菌層（１９）を設けたことを特徴とする請求項１又は３記載のタイピング補助具。
【請求項５】
緩衝部材（２）は、高さが３ｍｍ乃至１０ｍｍ程度としたことを特徴とする請求項１、２、３又は４記載のタイピング補助具。
【請求項６】
捲着部材（１）には、複数の通気穴（１４）‥（１４）を形成したことを特徴とする請求項１、２、３、４又は５記載のタイピング補助具。
【発明の詳細な説明】
【０００１】
【発明が属する技術分野】
本発明は、爪の長く伸ばしている作業者が、パーソナルコンピュータやワードプロセッサ等へのキーボードを用いた直接入力作業（以下単に、タイピングという。）を行う際に使用するタイピング補助具に関するものである。
【０００２】
【従来の技術】
今日、企業等においては、日常の事務処理、書類作成等においてはパーソナルコンピュータ等を使用する事が多く、数値、文章等の入力手段としてキーボードを使用して、タイピングを行っている。そして、タイピングにおいては素手で行うことが一般的である。
【０００３】
【発明が解決しようとする課題】
ところで、ファッションの観点から女性は爪を長く伸ばしたり、或いはつけ爪を取付けることがある。このような場合、素手でタイピングを行う際には、長く伸びた爪の先端がキーに接触することでキーに対して指を下ろす角度が変化し、指使いが不自然となって、適確に操作を行えず、また、意図していないキーに爪が接触することで誤入力を生じたり、不快感を生じたりすることとなる。
【０００４】
また、場合によってはタイピングを行うことで爪が割れたり、つけ爪であれば外れることもあり、このような障害を避けようとすると、十分な力でタイピングを行うことができず、また指関節に過度の負担をかけることにもなり、指関節の痛みやだるさといった弊害を生ずることにもなる。
【０００５】
本発明は、以上の事情に鑑みてなされたものであり、爪を長く伸ばした者若しくは、つけ爪を使用している者がタイピングを行うに際して、適確な入力が可能となり、爪の割れ等を生じず、快適なタイピングを可能とするためのタイピング補助具を安価に提供することを課題とするものである。
【０００６】
【課題を解決するための手段】
可撓性を有する帯状の捲着部材と、該捲着部材の外面に固着され、且つキーボードのキーに対する押圧手段となる緩衝部材とからなるタイピング補助具であって、前記捲着部材は、指に対する捲着手段となる捲着部片を両端に形成するとともに、その一方の捲着部片における当該指と当接面となる内面にのみ、接着層を設けたものとし、緩衝部材は、該捲着部材の外面の指先端当接部分又は外面全体に設けたことを特徴とするタイピング補助具を、課題を解決するための手段とする。
【０００７】
【発明の効果】
本発明によれば、指先に捲着するための帯状の捲着部材と、該捲着部材の外面に固着され、且つキーボードのキーに対する押圧手段となる緩衝部材とから構成することによって、着用者の各指の太さ、形状、タイピング操作の癖や嗜好等に応じて、キーボードとの接触に対して最適な位置に緩衝部材を配置することができ、これによって、爪がキーボードに当たることがないことから、爪の割れ、つけ爪の外れ等を生ずることがなく、安全且つ快適にタイピングすることができる。
【０００８】
また、帯状の捲着部材を指先に捲着することにより、一のサイズで五指の全てに適合させることができることから、生産コストの低減、生産効率の向上を図ることができる。
【０００９】
更に、予め捲着部材における捲着部片のみに接着層を設けることにより、装着容易とすることができ、脱落を生じない貼着力を確保した上で、更に、指と捲着部材との間に位置する接着層（１１）に、抗菌性を具備させることによって、接着層自体及びこれに隣接する捲着部材における抗菌効果を得ることができ、当該接着層に長時間接触する指において、衛生的な状態を確保することができる。
【００１０】
一方、捲着部材の内面全体に接着層を設けた場合には、タイピング補助具の意図しない脱落をより確実に防止することができる。
【００１１】
また、前記緩衝部材の高さを３ｍｍ乃至１０ｍｍ程度とした場合には、タイピング中に待機状態にある指が意に反してキーに当たることを防止することができ、誤入力を招来しないものとすることができる。
【００１２】
更に、緩衝部材の硬度を選択可能とする事で、緩衝部材の硬度によるキータッチの感触の嗜好に合せて選択できることから、適確で快適なタイピングを行うことができる。
【００１３】
また、捲着部材（１）は、不織布（１０）の外面に可撓性樹脂層（１８）を設けるとともに、前記不織布（１０）の内面には、抗菌材を含有する層（１９）を設けることによって、装着状態においては、接着層（１１）に対して、可撓性樹脂層（１８）が重合されることから、接着層（１１）が着脱することによる当該接着層（１１）自体の損失が少なく、当該タイピング補助具を繰り返し着脱して、使用することができる。
【００１４】
【発明の実施の形態及び実施例】
図１は本発明の実施例１に係るタイピング補助具の剥離紙を除いた状態における斜視図、図２は図１の正面図、図３は同実施例１に係るタイピング補助具の背面図、図４は図２のＡ−Ａ拡大断面図、図５は実施例１に係るタイピング補助具の装着状態を示す説明図、図６は同実施例１に係るタイピング補助具の使用状態を示す説明図、図７は本発明の実施例３に係るタイピング補助具の使用状態を示す説明図、図８は本発明の実施例１に係るタイピング補助具の他の装着態様を示す説明図である。
【００１５】
本発明の実施例１に係るタイピング補助具は、図１及び図２に示すように、装着する指（４）に対して当接する内面に接着層（１１）を備えた捲着部材（１）と、装着時において表側となる外面（１２）の中央部（１５）に接着固定される円柱状の緩衝部材（２）とから構成されるものである。
【００１６】
ここで、前記捲着部材（１）は、図４に示すように、主として厚さ０．５ｍｍ程度の不織布（１０）の外面側にはポリウレタンからなる可撓性樹脂層（１８）が積層され、また前記不織布（１０）の内面側にはバインダー樹脂に炭素粉末を混入した層である抗菌層（１９）を有するものである。当該炭素粉末による遠赤外線の作用を利用することにより、抗菌性作用を発揮する。
【００１７】
そして、当該捲着部材（１）の輪郭は、中央部（１５）が太幅となる波形で、当該中央部（１５）が爪（４０）を除く指先の先端に当接し、前記中央部（１５）の左右に連続して徐々に細幅となる捲着部片（１６）（１６）を形成している。尚、該中央部（１５）の波形形状は爪（４０）を除く指先部分を隠すとともに、指の腹部の起伏に沿った形状として形成することで、装着時に皺の発生を招来しない形状としている。
【００１８】
尚、本実施例１に係るタイピング補助具は、その接着層（１１）に適宜重合される剥離紙（図示省略）を剥がして、指に貼着するものである。尚、剥離紙は、接着層（１１）と相似形のものでも、複数のタイピング補助具に対して使用する大型のものでもよい。
【００１９】
一方、前記捲着部材（１）の中央部（１５）と捲着部片（１６）（１６）の境界近傍には、左右夫々１個ずつ通気穴（１４）（１４）を形成しており、当該通気穴（１４）（１４）によって、使用時の通気性を確保して、装着箇所が汗で蒸れることを防止するものとしている。
【００２０】
尚、本発明においては、通気性を確保する手段として、上記通気穴（１４）を設ける数量は、実施例１に限られず、また、上記通気穴（１４）（１４）を設ける以外の手段としては、不織布自体の通気性を利用することもできる。
【００２１】
そして、緩衝部材（２）は、直径１０ｍｍ、高さ５ｍｍ程度となる円柱状のウレタンフォームからなるスポンジ材を使用しており、ポリウレタン層によって、前記捲着部材（１）の外面における中央部（１５）に固着されている。
【００２２】
上記本発明の実施例１に係るタイピング補助具を使用する際には、図５に示すように、爪（４０）を除いた指先を覆うように捲着し、当該タイピング補助具の中央部（１５）に設けた円柱状の緩衝部材（２）が、キーボード（３）のキー（３０）との当接面となる指先頭部（４１）位置に、緩衝部材（２）が位置するように装着する。即ち、指の背側で両端の捲着部片が交叉若しくは重着した状態となる。
【００２３】
このように装着することによって、図６の上図に示すように、爪（４０）の伸びている方向を水平とすると、斜め下方に緩衝部材（２）が位置することとなる。
【００２４】
従って、キー（３０）を押した状態では、図６の下図に示すように、爪（４０）がキー（３０）に対して斜め下方へ逃げた状態で、且つキー（３０）から隔たった位置となることから、キーボード（３）上のいずれのキー（３０）にも干渉しないこととなる。
【００２５】
以上は、実施例１に係るタイピング補助具の一般的使用態様であるが、これ以外の使用態様として、図８に示すように、指に対して、当該タイピング補助具の表裏を逆にして装着することもできる。即ち、緩衝部材（２）と指とが直接当接した状態で、捲着部材（１）によって捲着される状態となる。接着層（１１）は、表裏を反対とした場合おいても、実施例１に係るタイピング補助具における位置でもよいし、当該位置と反対側の捲着部片に設けることもできる。
【００２６】
次に、本発明の実施例２に係るタイピング補助具について説明する。本実施例２に係るタイピング補助具は、図示省略するが、基本的に実施例１と共通の構成を有するものであり、相違点としては、抗菌層を有さず、捲着部材（１）における内面全体に接着層（１１）を備えた点がある。
【００２７】
尚、本発明の本実施例２についても、前記実施例１に係るタイピング補助具と同様に、緩衝部材（２）と捲着部材（１）との固着手段は、接着層（１１）によって取付けるものである。
【００２８】
また、捲着部材（１）の材質においても、当該実施例に係る捲着部材（１）は、不織布を使用しているが、これに限定されるものではなく、皮革や合成樹脂製のシート等を使用することもできる。このような場合において、通気性を確保するには、実施例に示したように、通気穴（１４）を設けることによって行うことができる。通気穴（１４）の数や形状、大きさについては、設計事項の範囲において決定する事ができる。
【００２９】
また、図７に、本発明の実施例３として示すように、接着層（１１）を設けずに、別途片面に強力な粘着性を有する粘着テープ（５）によって固定することもできる。本実施例３においては、捲着によって交叉した捲着部片相互に対して、当該粘着テープ（５）を指の背側から貼着して、捲着部片を固着するものである。
【００３０】
尚、このような粘着テープ（５）は一般的な絆創膏に使用されるような、ポリエステル系フィルムにアクリル系粘着剤を積層した粘着テープ等種々の公知なものを使用する事ができるが、当該粘着テープの材料若しくは通気孔等により通気性を有するものであれば、汗による蒸れの防止の観点から、より好ましいと考えられる。
【００３１】
更に、緩衝部材（２）は、反発弾性を具備したものが好ましく、また、その外形については、本実施例に示した円柱状のものの他、例えば半球状、球帯、截頭錘体等、任意の形状とすることができるが、その最大高さは、およそ３ｍｍ乃至１０ｍｍ程度が好適である。
【００３２】
尚、当該最大高さが、３ｍｍ程度に満たない場合若しくは１０ｍｍを超える場合においても使用することは可能であるが、３ｍｍ程度に満たない場合は、実質的に伸びた爪（４０）がキーに当たる可能性が高く、また１０ｍｍ程度を超える場合においては、爪（４０）がキーボード（３）のキーにあたることはないものの、キータッチ時にキー方向に安定して押すことが困難になるとともに、タイピング時における待機状態の指（４）に取付けられた爪（４０）がキーに当たりやすくなり、誤入力等を生ずる可能性があることから、上記のように３ｍｍ乃至１０ｍｍ程度とすることが望ましい。
【００３３】
また、前記緩衝部材（２）の材質においては、本実施例では上記したようにウレタンフォームを使用したが、例えばシリコーン等の合成樹脂材料、発泡樹脂、合成ゴム等種々の公知な材料を使用することができる。本実施例の場合は、反発弾性を有する材料を使用することによって、キータッチがソフトとなる点において優れたものであるが、反発弾性は必ずしも要件とするものではなく、該反発弾性を殆ど有しない、硬度の高い材料を使用することもできる。このような硬度の高い材料は、特に長いつけ爪等を指に装着してキーを押す際に、より強度を確保することができることから、緩衝部材として、非常に有用である。
【００３４】
これに加え、本発明においては、抗菌性を発揮する抗菌材として、炭素のみに限るものではなく、例えば、セラミックス等を用いて、遠赤外線の作用を利用するものでもよいし、また、銀、銅のように遠赤外線を利用せず、抗菌作用を有する被膜を形成するものによることもできる。
【００３５】
また、抗菌層は、バインダ樹脂と上記抗菌作用を備えた抗菌材とを必ずしも混入させる必要はなく、積層状態等として使用することもできる。
【図面の簡単な説明】
【図１】本発明の実施例１に係るタイピング補助具の斜視図である。
【図２】本発明の実施例１に係るタイピング補助具の正面図である。
【図３】本発明の実施例１に係るタイピング補助具の背面図である。
【図４】図２におけるＡ−Ａ拡大断面図である。
【図５】本発明の実施例１に係るタイピング補助具の装着状態を示す説明図である。
【図６】本発明の実施例１に係るタイピング補助具を使用状態を示す説明図である。
【図７】本発明の実施例３に係るタイピング補助具の背面図である。
【図８】本発明の実施例１に係るタイピング補助具の他の装着態様を示す説明図である。
【符号の説明】
（１）　　　捲着部材
（１０）　　不織布
（１１）　　接着層
（１２）　　外面
（１４）　　通気穴
（１５）　　中央部
（１６）　　捲着部片
（１７）　　内面
（１８）　　可撓性樹脂層
（１９）　　抗菌層
（２）　　　緩衝部材
（２２）　　弾性部材
（２３）　　硬質部材
（３）　　　キーボード
（３０）　　キー
（４）　　　指
（４０）　　爪
（４１）　　指先頭部
（５）　　　粘着テープ
【図１】
2004030306.tif 000003
【図２】
2004030306.tif 000004
【図３】
2004030306.tif 000005
【図４】
2004030306.tif 000006
【図５】
2004030306.tif 000007
【図６】
2004030306.tif 000008
【図７】
2004030306.tif 000009
【図８】
2004030306.tif 000010